(57)【特許請求の範囲】
【請求項１】
除湿水をためる排水タンク内にフロートを回動自在に支持した除湿機において、
前記フロートに設けた被支持部を浮子の幅より狭い腕部の両側に設け、このフロートの被支持部を支持する排水タンクの左右の支持部を、該排水タンクの一側壁と該一側壁に近接する前記排水タンク内に突出形成したフロート支持壁に設け、前記排水タンクに設けた左右の支持部の間隔を前記フロートの浮子の幅より狭くしたことを特徴とする除湿機。
【請求項２】
前記フロート支持壁を、排水タンクの底面より突出形成したことを特徴とする請求項１に記載した除湿機。
【請求項３】
前記フロート支持壁を、排水タンクの一側壁より突出形成したことを特徴とする請求項１に記載した除湿機。
【請求項４】
前記排水タンクの支持部が外れ止め突起を設けたＵ字状の溝で構成されたことを特徴とする請求項１〜３のいずれかに記載した除湿機。
【請求項５】
前記フロートの被支持部の近傍に設けた突起と、前記排水タンクの支持部の近傍に設けた突起により、フロートを回転させて倒立させた状態で係止できるようにしたことを特徴とする請求項１〜４のいずれかに記載した除湿機。
【発明の詳細な説明】
【０００１】
【発明の属する技術分野】
本発明は、除湿水をためる排水タンク内にフロートを回動自在に支持した除湿機に関するものである。
【０００２】
【従来の技術】
図１０は従来の除湿機における排水タンクの上面図である。
【０００３】
図１０に示す排水タンク７には、対向する両側壁にフロート１０の左右の支軸１０ｂ（被支持部）が挿入される左右の軸穴７ａ（支持部）が設けられている。フロート１０は浮子８と、一端にマグネット９が取り付けられている腕部１０ａとを有し、前記左右の支軸１０ｂは浮子８より広い幅の部分に設けられ、フロート１０の支軸１０ｂは排水タンク７を横断するように回動自在に支持されている。
【０００４】
図１１は従来の除湿機における排水タンクの他の例を示す上面図である。
図１１に示す排水タンク７には、該排水タンク７の一側壁とタンク内に突出形成したフロート支持壁７ｂとにフロート１０の左右の支軸１０ｂ（被支持部）が挿入される左右の軸穴７ａ（支持部）が設けられている。フロート１０は浮子８と、一端にマグネット９が取り付けられている腕部１０ａとを有し、前記左右の支軸１０ｂは浮子８とほぼ同じ幅の部分に設けられ、フロート１０を軸支するフロート支持壁７ａは排水タンク７の中央よりに位置している。
図１０及び図１１に示されるフロート１０の取り付けは、フロートの両側に設けた左右の支軸１０ｂの片側を、排水タンク７の側壁に設けられた片側の軸穴７ａに挿入しておき、排水タンク７の他方の側壁又はフロート支持壁７ｂの間隔を広げるように変形させて、反対側のフロート１０の支軸１０ｂをもう片側の軸穴７ａに挿入することにより行われる。
【０００５】
【発明が解決しようとする課題】
上記従来の構成では、いずれも排水タンク７の開口部に比べてフロート１０が大きく、フロート１０の支軸１０ｂが排水タンク７を横断していたり、フロート１０を軸支するフロート支持壁７ａが排水タンク７の中央よりに位置したりするため、フロート１０や支軸１０ｂやフロート支持壁７ｂが邪魔となり、手や清掃用のスポンジ等が入りにくく、排水タンク７の内面の清掃がしづらいという問題点があった。
【０００６】
また、上記のように、排水タンク７及びフロート支持壁７ｂの弾性を利用してフロート１０を取り付けるようにしているため、排水タンク７内にたまった除湿水を捨てる時や排水タンク７を誤って落下させてしまったときに、水の重さや外力により排水タンク７が変形し、図１２に示すの如く、この変形によって左右の軸穴７ａ、７ａの間隔Ｍ０が間隔Ｍ１に広がってしまい、このときの広がり量（Ｍ１−Ｍ０）が大きいため、フロート１０の支軸１０ｂが軸穴７ａから外れてしまうという問題点があった。
【０００７】
本発明は上記のような問題点を解決するためになされたもので、フロートを取り外さなくても容易に清掃できるとともに、水の重さや外力が付与されてもフロートが外れにくい排水タンクを有する、使い易い除湿機を提供することを目的としている。
【０００８】
【課題を解決するための手段】
本発明に係る除湿機は、除湿水をためる排水タンク内にフロートを回動自在に支持した除湿機において、前記フロートに設けた被支持部を浮子の幅より狭い腕部の両側に設け、このフロートの被支持部を支持する排水タンクの左右の支持部を、該排水タンクの一側壁と該一側壁に近接する前記排水タンク内に突出形成したフロート支持壁に設け、前記排水タンクに設けた左右の支持部の間隔を前記フロートの浮子の幅より狭くしたものである。
【０００９】
また、前記フロート支持壁を、排水タンクの底面より突出形成したものである。
【００１０】
また、前記フロート支持壁を、排水タンクの一側壁より突出形成したものである。
【００１１】
また、前記排水タンクの支持部が外れ止め突起を設けたＵ字状の溝で構成されたものである。
【００１２】
さらに、前記フロートの被支持部の近傍に設けた突起と、前記排水タンクの支持部の近傍に設けた突起により、フロートを回転させて倒立させた状態で係止できるようにしたものである。
【００１３】
【発明の実施の形態】
実施の形態１．
以下、本発明の実施の形態１について図面を用いて説明する。
図１は本発明の実施の形態１における排水タンク７の上面図、図２は同実施の形態１における排水タンク７の断面図、図３は同実施の形態１における排水タンク７のフロート支持部の断面図、図４は同実施の形態１における除湿機の断面図を示す。
図４において、１は本体ケースであり、内部には圧縮機（図示せず）、蒸発器２、凝縮器３、送風ファン４、ドレンパン５などの部品が収納されている。湿った空気は空気吸込口６より取り込まれ、蒸発器２を通過して結露し、除湿された水はドレンパン５を伝い、その下部に位置して設置されている着脱自在の排水タンク７にたまる。乾燥された空気は凝縮器３、送風ファン４を通過して吹出口１１から放出される。
【００１４】
図１〜図３において、排水タンク７には、浮子８と、一端にマグネット９が取り付けられている腕部１０ａとを有するフロート１０が支持されている。フロート１０の腕部１０ａの両側には支軸１０ｂ（被支持部）が設けられている。フロート１０の腕部１０ａの両側に設けた支軸１０ｂは、排水タンク７の一側壁と、排水タンク７内の底面より突出形成したフロート支持壁７ｂに設けた軸穴７ａ（支持部）にそれぞれ挿入されて軸支されている。排水タンク７の一側壁と排水タンク７の底面より突出形成したフロート支持壁７ｂとの間隔Ｌ０は浮子８の幅より狭く設定されている。また、フロート支持壁７ｂは略Ｌ字形状であり、排水タンク７の底面を通して排水タンク７の一側壁と繋がっている。
【００１５】
上記構成の排水タンク７において、除湿機の運転により、除湿された水がドレンパン５のドレンロから流下し、排水タンク７内にためられると、水位の上昇と共にフロート１０が支軸１０ｂを支点として回動して浮上し、フロート１０の一端に取り付けられたマグネット９が下降する。マグネット９が下がると除湿機本体側に設置されたリードスイッチとの間隔が大きくなり、この間隔が所定の値を超えると、リードスイッチの接点が動作して、制御回路にて排水タンク７内に溜まった除湿水が満水となったことを検知し、除湿運転を自動的に停止させて排水タンク７からの水の溢れを防ぐ。排水タンク７内にたまった除湿水は、排水タンク７を本体ケース１から取り出して外部に捨てる。
フロート１０を軸支する一側壁とフロート支持壁７ｂの間隔Ｌ０を浮子８の幅より狭くし、フロート１０を小さくして排水タンク７の一方に寄せることができるため、排水タンク７の内側を清掃するときにフロート１０やフロート支持壁７ｂが手や清掃用スポンジの邪魔になりにくく、フロート１０を外さなくても清掃が容易に行える。
【００１６】
また、フロート１０を外さなくても排水タンク７の清掃がし易いため、フロート１０の取り付け不良により満水を検知できずに排水タンク７の水を溢れさせてしまうということもない。
【００１７】
排水タンク７の一壁面と底面より形成した略Ｌ字形状の対向するフロート支持壁７ｂに設け、また、排水タンク７は、フロート１０を軸支するための軸穴７ａを設けた、排水タンク７の一側壁と底面より形成したロート支持壁７ｂの間隔Ｌ０を浮子８の幅より小さくしたことと、一側面と底面の２面に限定することにより、排水タンク７にたまった除湿水を捨てる時や清掃時などに、さらに排水タンク７を誤って落下させてしまったときにも、排水タンク７の変形量は同じであるが、図５に示す如く、変形時の排水タンク７の一側壁とフロート支持壁７ｂに設けた軸穴７ａの間隔の広がり量（Ｌ１−Ｌ０）を小さくすることができるため、フロート１０の支軸１０ｂが排水タンク７、フロート支持壁７ｂに設けた軸穴７ａから外れることを防ぐことができる。
【００１８】
本例では、排水タンク７の支持部を軸穴７ａで構成し、フロート１０の被支持部を支軸１０ｂで構成した例で説明したが、フロート１０の被支持部を軸穴で構成し、排水タンク７の支持部を支軸で構成してもよい。また、フロート１０の被支持部の片側を軸穴、もう片側を支軸で構成し、排水タンク７の支持部の片側を支軸、もう片側を軸穴で構成するようにしてもよい。
【００１９】
実施の形態２．
次に、本発明の実施の形態２について説明する。
図６は本発明の実施の形態２を示す排水タンクの要部断面図である。
この実施の形態２において、基本的な構成については実施の形態１と同一であり、軸穴７ａを形成したフロート支持壁７ｂの構成のみが異なる。
【００２０】
図６において、１０ｂはフロート１０の両側に設けた支軸、７ａは排水タンク７の一側壁と同じ壁より突出形成したフロート支持壁７ｂに設けた軸穴であり、排水タンク７の一側壁と同じ壁より形成したフロート支持壁７ｂの間隔Ｌ０は浮子８の幅より狭く設定されている。フロート支持壁７ｂは排水タンク７の底面より突出形成せずに、排水タンク７の一側壁より突出形成させているため、フロート支持壁７ｂがより邪魔になりにくく、実施の形態１よりもさらに清掃性を向上させることができる。
また、フロート１０の軸支は排水タンク７の一側壁のみに限定されるため、排水タンク７にたまった除湿水を捨てる時や清掃時などに、さらに排水タンク７を誤って落下させてしまったときにも、変形時の排水タンク７の一側壁とフロート支持壁７ｂに設けた軸穴７ａの間隔Ｌ１の広がり量（Ｌ１−Ｌ０）を前述の実施の形態１よりもさらに小さくすることができるため、フロート１０の支軸１０ｂが排水タンク７、フロート支持壁７ｂに設けた軸穴７ａから外れることをさらに防ぐことができるものである。
【００２１】
実施の形態３．
次に、本発明の実施の形態３について説明する。
図７は本発明の実施の形態３を示す排水タンクの要部断面図である。
この実施の形態３は、フロート１０の取り付け性を向上させるため、排水タンク７に形成した軸穴の形状が異なる。
【００２２】
図７において、７ｆは軸穴７ａの代替に設けたもので、フロート１０の支軸１０ｂが容易に抜けないように突起７ｅを具備したＵ字状の溝である。
上記構成によれば、フロート１０の腕部１０ａの両側に設けた支軸１０ｂをＵ字状の溝７ｆに設けた突起７ｅの上に乗せ、圧入することによりフロート１０が容易に抜けないよう軸支され、フロート１０の組み立て性を向上させ、より安価な除湿機を提供できる。
【００２３】
実施の形態４．
本発明の実施の形態４について説明する。
図８は本発明の実施の形態４を示す排水タンクの上面図である。
図８において、１０ｄはフロート１０の片方の支軸１０ｂ側に設けた突起、７ｄは排水タンク７の一側壁の軸穴７ａ側に設けた突起である。その他の基本的な構成については実施の形態１〜３と同一である。
この実施の形態４では、フロート１０の片方の支軸１０ｂ側に設けた突起１０ｄと、排水タンク７の軸穴７ａの近傍に設けた突起７ｄにより、フロート１０を支軸１０ｂを中心に鉛直方向に回転させた時、倒立させた状態で係止するように設定してある。
【００２４】
フロート１０は排水タンク７に回動自在に軸支され、フロート１０と排水タンク７にそれぞれ設けた突起１０ｄ、７ｄは互いに干渉せず、排水タンク７の満水を検知するために支障のない位置に設けてある。
【００２５】
図９は本実施の形態4の清掃時における断面図である。
フロート１０を支軸１０ｂを中心に鉛直方向に回転させると、フロート１０に設けた突起１０ｄが排水タンク７に設けた突起７ｄを乗り越え、フロート１０を倒立させた状態で係止することができる。
【００２６】
このように、フロート１０を鉛直方向に回転させると、倒立させた状態で係止できるため、フロート１０の下方を清掃するときにフロート１０を抑えておく必要がなく、より容易に排水タンク７内の清掃が可能になる。
【００２７】
清掃後は、倒立状態で係止したフロート１０を再び水平方向に回転させ、フロート１０に設けた突起１０ｄが排水タンク７に設けた突起７ｄを再び乗り越え、フロート１０を回動自在にしてから、本体ケース１に排水タンク７をセットする。また、万一、フロート１０が倒立状態で係止されたまま本体ケース１に排水タンク７をセットしても、本体ケース１の排水タンク７出し入れ口部にフロート１０が当たり、上記手順と同様にフロート１０の倒立状態の係止が解除され、再びフロート１０に回動自在に支持されるようになっている。
【００２８】
【発明の効果】
以上のように本発明の請求項１〜３によれば、フロートが排水タンクの清掃の邪魔になりにくく、フロートを外さなくても清掃が容易な排水タンクを有する除湿機を提供できる。また、排水タンク内の除湿水を捨てる時や誤って排水タンクを落下させた時でも、フロートを支持している排水タンクのフロート支持壁の変形量が少なく、フロートが外れにくくなるため、信頼性が高く、使いやすい除湿機を提供できる。
【００２９】
また、本発明の請求項３によれば、さらに排水タンクの清掃性を向上させることができる。
【００３０】
また、本発明の請求項４によれば、組み立て性を向上させ、安価な除湿機を提供することができる。
【００３１】
また、本発明の請求項５によれば、さらに排水タンクの清掃性が向上し、コストを上げることなく、より使いやすい除湿機を提供することができる。
【図面の簡単な説明】
【図１】  本発明の実施の形態１における排水タンクの上面図である。
【図２】  同実施の形態１における排水タンクの断面図である。
【図３】  同実施の形態１における排水タンクのフロート支持部の断面図である。
【図４】  同実施の形態１における除湿機の全体構成を示す断面図である。
【図５】  同実施の形態１における排水タンクの変形時の状態を示す上面図である。
【図６】  本発明の実施の形態２における排水タンクのフロート支持部の断面図である。
【図７】  本発明の実施の形態３における排水タンクの軸穴部分の部分側面図である。
【図８】  本発明の実施の形態４における排水タンクの上面図である。
【図９】  同実施の形態４における排水タンクの清掃時の状態を示す断面図である。
【図１０】  従来の除湿機における排水タンクの上面図である。
【図１１】  従来の除湿機における排水タンクの他の例を示す上面図である。
【図１２】  従来の除湿機における排水タンクの変形状態を示す上面図である。
【符号の説明】
７  排水タンク、７ａ  軸穴（支持部）、７ｂ  フロート支持壁、７ｄ  突起、７ｅ  抜け止め突起、７ｆ  Ｕ字状溝、８  浮子、９  マグネット、１０  フロート、１０ａ  腕部、１０ｂ  支軸（被支持部）、１０ｄ  突起。
【図１】
0003941859.tif 000002
【図２】
0003941859.tif 000003
【図３】
0003941859.tif 000004
【図４】
0003941859.tif 000005
【図５】
0003941859.tif 000006
【図６】
0003941859.tif 000007
【図７】
0003941859.tif 000008
【図８】
0003941859.tif 000009
【図９】
0003941859.tif 000010
【図１０】
0003941859.tif 000011
【図１１】
0003941859.tif 000012
【図１２】
0003941859.tif 000013